(57)【要約】【課題】ＵＳＢメモリのような外部記憶装置を取り付け可能な画像形成装置にあって、そのＵＳＢメモリの破損等を生じさせないようにした画像形成装置を提供する。【解決手段】複合機４９の制御ユニット１１が、ＵＳＢメモリ３２からデータを取得後、表示パネル２４に、データをシートに印刷させるための操作手順（ワークフロー）を表示し、その操作手順には、ＵＳＢメモリ３２の取り外し許可を示すＵＳＢメモリ取り外し許可手順が含まれる。【選択図】図４
2011110876.tif 000002
【特許請求の範囲】
【請求項１】
シートに対して印刷を施す画像形成装置において、
外部記憶装置を接続する接続部と、
外部に向けて操作情報を表示する表示パネルと、
前記外部記憶装置に記憶される記憶情報を取得する制御ユニットと、
が含まれており、
前記制御ユニットは、前記記憶情報を取得して、前記表示パネルに、前記記憶情報を前記シートに印刷させるための操作手順を表示し、その操作手順には、前記外部記憶装置の取り外し許可を示す取り外し許可手順が含まれることを特徴とする画像形成装置。
【請求項２】
前記操作情報に対する指示を入力する入力部が、含まれており、
前記入力部によって、全ての前記記憶情報を前記シートに印刷させる指示がされた後、
前記制御ユニットは、前記取り外し許可手順を、自動的に前記表示パネルに表示させることを特徴とする請求項１に記載の画像形成装置。
【請求項３】
前記操作情報に対する指示を入力する入力部が、含まれており、
前記入力部によって、一部の前記記憶情報を前記シートに印刷させる指示がされた後、
前記制御ユニットは、残りの前記記憶情報を前記シートに印刷させる継続印刷手順と、前記外部記憶装置の取り外しを決定する取り外し選択手順と、を併せて、前記表示パネルに表示させ、前記取り外し選択手順が、前記入力部によって選択された後に、前記取り外し許可手順を、前記表示パネルに表示させることを特徴とする請求項１に記載の画像形成装置。
【請求項４】
印刷された前記シートを外部に排出する排出部が含まれており、
前記制御ユニットは、前記取り外し許可手順を前記表示部に表示するまでは、前記排出部に、印刷された最終の前記シートの排出を停止させることを特徴とする請求項２または３に記載の画像形成装置。
【発明の詳細な説明】
【技術分野】
【０００１】
本発明は、ＭＦＰ（マルチファンクションプリンタ）と称される画像形成装置に関する。
【背景技術】
【０００２】
昨今、ＵＳＢ（Universal Serial Bus）メモリが普及している。そのため、ＭＦＰのような画像形成装置にも、このＵＳＢメモリを接続可能なインターフェース（Ｉ／Ｆ）が取り付けられている。そして、特許文献１・２に示されるような複合機では、ＵＳＢメモリがインターフェースを介して取り付けられた場合、そのＵＳＢメモリに記憶されたデータを印刷するための操作メニューが、表示パネルに表示される。
【０００３】
特に、このような複合機では、ＵＳＢメモリがインターフェースに取り付けられるだけで、自動的に操作メニューが表示パネルに表示され、ユーザの操作の簡略化が図られている。
【先行技術文献】
【特許文献】
【０００４】
【特許文献１】特開２００５−１１０２７８号公報
【特許文献２】特開２００６−１８１７１１号公報
【発明の概要】
【発明が解決しようとする課題】
【０００５】
ところで、インターフェースを介してＵＳＢメモリが複合機に取り付けられる場合、ユーザによる不用意なＵＳＢメモリの取り外しは望ましくない。なぜなら、複合機とＵＳＢメモリとの間でデータが転送中のような場合、ＵＳＢメモリが強引にインターフェースから取り外されてしまうと、データの破損またはＵＳＢメモリ自体の破損等が生じかねないためである。
【０００６】
本発明は、上記の問題点を解決するためになされたものである。そして、その目的は、ＵＳＢメモリのような外部記憶装置を取り付け可能な画像形成装置にあって、そのＵＳＢメモリの破損等を生じさせないようにした画像形成装置を提供することにある。
【課題を解決するための手段】
【０００７】
前記課題解決のため請求項１に係る画像形成装置、すなわちシートに対して印刷を施す画像形成装置は、外部記憶装置を接続する接続部と、外部に向けて操作情報を表示する表示パネルと、前記外部記憶装置に記憶される記憶情報を取得する制御ユニットと、を含む。そして、前記制御ユニットは、前記記憶情報を取得後、前記表示パネルに、前記記憶情報を前記シートに印刷させるための操作手順を表示し、その操作手順には、前記外部記憶装置の取り外し許可を示す取り外し許可手順を含ませた。
【０００８】
この構成によれば、ユーザは、表示部の操作手順をみることで、外部記憶装置に記憶された記憶情報を容易に印刷させられ、さらに、外部記憶装置を画像形成装置から取り外すタイミングを、操作手順をみて知る。そのため、ユーザは、外部記憶装置を無理に取り外さなくなり、その外部記憶装置の破損等が起きにくくなる。
【０００９】
又、請求項２に係る画像形成装置は、請求項１記載の画像形成装置において、前記操作情報に対する指示を入力する入力部が、含まれており、前記入力部によって、全ての前記記憶情報を前記シートに印刷させる指示がされた後、前記制御ユニットは、前記取り外し許可手順を、自動的に前記表示パネルに表示させると望ましい。
【００１０】
この構成によれば、ユーザは、早期に外部記憶装置を取り外し可能であることを知り得る。
【００１１】
又、請求項３に係る画像形成装置は、請求項１記載の画像形成装置において、前記操作情報に対する指示を入力する入力部が、含まれており、前記入力部によって、一部の前記記憶情報を前記シートに印刷させる指示がされた後、前記制御ユニットは、残りの前記記憶情報を前記シートに印刷させる継続印刷手順と、前記外部記憶装置の取り外しを決定する取り外し選択手順と、を併せて、前記表示パネルに表示させ、前記取り外し選択手順が、前記入力部によって選択された後に、前記取り外し許可手順を、前記表示パネルに表示させると望ましい。
【００１２】
この構成によれば、外部記憶装置の記憶情報を、全部ではなく部分的に印刷させるような場合であっても、操作手順が表示されるので、ユーザは迷うことなく、画像形成装置に所望の動作を行わせられる。その上、ユーザは、外部記憶装置を画像形成装置から取り外すタイミングを操作手順をみて知れるので、誤って、画像形成装置から外部記憶装置を取り外さない。
【００１３】
又、請求項３に係る画像形成装置は、請求項２又は３に記載の画像形成装置において、印刷された前記シートを外部に排出する排出部が含まれており、前記制御ユニットは、前記取り外し許可手順を前記表示部に表示するまでは、前記排出部に、印刷された最終の前記シートの排出を停止させると望ましい。
【００１４】
この構成によれば、取り外し許可手順が表示されていない上、所望の記憶情報の全てがまだ印刷され尽くしていないことを認識する。そのため、ユーザが外部記憶装置を画像形成装置から取り外そうとしなくなる。
【発明の効果】
【００１５】
本発明の画像形成装置によると、ユーザは外部記憶装置の取り外し可能なタイミングを表示部で確認できる。そのため、ユーザは、外部記憶装置の取り外し準備が完了する前に、外部記憶装置を画像形成装置から外部記憶装置を取り外さなくなる。
【図面の簡単な説明】
【００１６】
【図１】複合機の模型的正面断面図である。
【図２】複合機の構成の一例を示すブロック図である。
【図３】操作パネルユニットを示す平面図である。
【図４】複合機の種々処理の一例を説明するフローチャートである。
【図５】表示パネルに表示される画像の一例を示す平面図である。
【図６】複合機の種々処理を説明するフローチャートである。
【図７】表示パネルに表示される画像の一例を示す平面図である。
【図８】複合機の種々処理の一例を説明するフローチャートである。
【図９】複合機の種々処理の一例を説明するフローチャートである。
【発明を実施するための形態】
【００１７】
以下、第１の実施形態について、図１を参照しつつ説明する。ここで、コピー機およびプリンタ等のＭＦＰ（マルチファンクションプリンタ）を、複合機４９として説明する。但し、この複合機（画像形成装置）に関する部材の構成および部材の配置等は、発明の範囲を限定するものではなく単なる説明例にすぎない。
【００１８】
図１は、複合機４９の模型的正面断面図である。この図に示すように、複合機４９には、正面上方に機能設定のための操作パネルユニット２１が接続かつ装着される。さらに、複合機４９には、最上部には原稿を押さえるための原稿カバー４１が設けられ、複合機４９本体内には、画像読取部４２、シート供給部４３、シート搬送路４４、画像形成部４５、定着部４６、および排出部４７等が含まれる。
【００１９】
原稿カバー４１は、複写時、原稿台としての画像読取部４２の上面に設けられたコンタクトガラス４１ａに載置された原稿を押さえる。そのため、原稿カバー４１は、図１の紙面奥側に支点を有し、上下方向に開閉可能である。
【００２０】
画像読取部４２は、原稿を読み取り、原稿の画像データを生成する。詳説すると、画像読取部４２の上面には、コンタクトガラス４１ａが設けられ、さらに、画像読取部４２内には、露光ランプ、ミラー、レンズ、イメージセンサ（例えば、ＣＣＤ）等の光学系部材（不図示）が含まれる。そして、これら光学系部材が用いられることで、コンタクトガラス４１ａに載置される原稿に光が照射され、その原稿の反射光を受けるイメージセンサの各画素の出力値がＡ／Ｄ変換されることで、画像データが生成される。そして、複合機４９は、読み取りにより得られた画像データに基づき印刷を行える（コピー機能）。
【００２１】
シート供給部４３は、複数のシート（例えば、コピー用紙、普通紙、再生紙、厚紙、およびＯＨＰシート等の各種シート）を収容し、印刷時、１枚ずつシート搬送路４４に送り出す。また、シート供給部４３は、収納シートの積載されるカセット４３ａ、および、カセット４３ａからシート搬送路４４に送り出すため回転駆動する給紙ローラ４３ｂ等を含む。例えば、印刷時、給紙ローラ４３ｂが回転駆動し、画像形成に必要となるシートが１枚ずつシート搬送路４４に送り出される。
【００２２】
シート搬送路４４は、シート供給部４３から排出トレイ４８までシートを搬送する通路である。そして、シート搬送路４４には、シートの案内のためのガイド板４４ａ、シート搬送時に回転駆動する搬送ローラ対４４ｂ、および、搬送されるシートを画像形成部４５の手前で待機させ、トナー像形成のタイミングに合わせシートを送り出すレジストローラ対４４ｃ等が設けられる。
【００２３】
画像形成部４５は、画像データに基づきトナー像を形成し、搬送されるシートにトナー像を転写する。そのため、画像形成部４５は、図１中に示す矢印方向に回転駆動可能に支持された感光体ドラム４５ａ、その感光体ドラム４５ａの周囲に配設された帯電装置４５ｂ、露光装置４５ｃ、現像装置４５ｄ、転写ローラ４５ｅ、およびクリーナー４５ｆ等を含む。
【００２４】
トナー像形成および転写プロセスを説明すると、画像形成部４５の略中心に設けられ、所定方向に回転駆動する感光体ドラム４５ａを、図１において、感光体ドラム４５ａの右斜上方の帯電装置４５ｂが所定電位に帯電させる。
【００２５】
露光装置４５ｃは、図１において、帯電装置４５ｂの右側方に設けられ、画像データに基づき、レーザ光Ｌを出力し、感光体ドラム４５ａ表面を走査露光して画像データに応じた静電潜像を形成する。なお、画像データは、画像読取部４２で得られたものや、ネットワーク等により接続されるユーザ端末や相手方ＦＡＸ装置から送信された画像データ等が用いられる。
【００２６】
そして、図１において、感光体ドラム４５ａの右斜下方の現像装置４５ｄは、感光体ドラム４５ａに形成された静電潜像にトナーを供給して現像する。感光体ドラム４５ａの左方の転写ローラ４５ｅは感光体ドラム４５ａに圧接し、ニップを形成する。そして、トナー像にあわせ、レジストローラ対４４ｃがタイミングを図り、シートをニップに進入させる。
【００２７】
シートとトナー像とのニップ進入時、転写ローラ４５ｅには所定の電圧が印加され、シートに感光体ドラム４５ａ上のトナー像が転写される。クリーナー４５ｆは、転写後に感光体ドラム４５ａに残留するトナー等を除去する。
【００２８】
定着部４６は、シートに転写されたトナー像を定着させる。この定着部４６は、主として、発熱体を内蔵する加熱ローラ４６ａと加圧ローラ４６ｂである。加熱ローラ４６ａと加圧ローラ４６ｂとは、圧接しニップを形成する。そして、シートが、このニップを通過することで、シート表面のトナーが溶融・加熱され、トナー像がシートに定着する。
【００２９】
排出部４７は、トナー定着後のシートを排出トレイ４８に送り込む排出ローラ対４７である。すなわち、トナー定着後のシートは、排出部４７によって、排出トレイ４８に送り出され、その排出トレイ４８は、数多くのシートを保存する。このようにして、コピー機能およびプリンタ機能として、画像形成（印刷）が行われる。
【００３０】
次に、複合機４９に含まれる種々部材の一部をブロック図で示した図２を用いて説明する。図２に示すように、複合機４９は、制御ユニット１１、操作パネルユニット２１、画像読取部４２、シート供給部４３、シート搬送路４４、画像形成部４５、定着部４６、排出部４７、および、インターフェース（Ｉ／Ｆ）３１、を含む。
【００３１】
制御ユニット１１は、記憶部１２、ＣＰＵ（Central Processing Unit）１３、および画像処理部１４を含む。
【００３２】
記憶部１２は、ＲＯＭ（Read Only Memory）、ＲＡＭ（Random Access Memory）、ＨＤＤ（Hard Disk Drive）等の不揮発性メモリと揮発性メモリとを組み合わせている。そして、この記憶部１２には、例えば、複合機４９の制御用プログラム、制御用データ、設定データ、および画像データの各種データを記憶する。
【００３３】
ＣＰＵ１３は、中央演算処理装置であって、記憶部１２に記憶された種々の制御プログラムを適宜選択し、さらに、選択した制御プログラムを展開することで、複合機４９の各部を制御する。また、後述するＵＳＢメモリ３２がインターフェース３１に差し込まれた場合、ＣＰＵ１３は、後述のＵＳＢメモリ３２に記憶されたデータを用いて、種々の処理を複合機４９で行う（詳細については後述）。
【００３４】
画像処理部１４は、例えば、画像読取部４２で読み取られた画像データ、印刷を行う画像データ、または、後述するＵＳＢメモリ３２に記憶される画像データに対し、各種画像処理を施す。
【００３５】
そして、これらの記憶部１２、ＣＰＵ１３、および画像処理部１４を含む制御ユニット１１は、例えば、画像読取部４２、シート供給部４３、シート搬送路４４、画像形成部４５、定着部４６、排出部４７、および、操作パネルユニット２１等を制御する。すなわち、制御ユニット１１は、複合機４９の動作を統括的に制御する。
【００３６】
操作パネルユニット２１は、表示制御部２２、メモリ２３、表示パネル２４、およびボタンセット２５を含む。なお、図３は、複合機４９に備え付けられた操作パネルユニット２１を示した平面図である。
【００３７】
表示制御部７は、ＣＰＵやＩＣ（Integrated Circuit)等の回路で組み上がった演算装置であり、表示パネル２４の表示を制御する。
【００３８】
メモリ２３は、表示パネル２４に表示する表示データを記憶する。すなわち、メモリ２３は、表示制御部２２の表示指示に応じて、その表示制御部２２に表示データを提供する。
【００３９】
表示パネル２４は、例えば、液晶表示パネル２４または有機ＥＬ（Electro Luminescence）パネルである。そして、この表示パネル２４は、ユーザに対して種々情報（例えば、複合機４９の操作情報）を表示する。
【００４０】
なお、表示パネル２４には、表示される複合機の操作画像を指等で選択できるシステムとして、タッチ検出システムＴＭが搭載される。そして、このようなタッチ検出システムＴＭを搭載する表示パネル２４は、タッチパネル２４とも称される。なお、タッチパネル２４の方式は、抵抗膜方式、表面弾性波方式、赤外線方式、または、静電容量方式等があるが、特に限定されるものではない。
【００４１】
ボタンセット（入力部）２５は、上述のタッチ検出システムＴＭのような入力部の他、操作パネルユニット２１に設けられた種々ボタンＢＮを含む。ボタンＢＮとしては、図３に示すように、例えば、テンキーボタンＢＮ、スタートボタンＢＮ、各種設定ボタンＢＮ等が挙げられる。そして、ユーザは、このボタンセット２５を使用することで、複合機２に様々な操作指示を与えられる。
【００４２】
インターフェース（Ｉ／Ｆ）３１は、例えば、図２に示すようなＵＳＢ（Universal Serial Bus）メモリ３２のような半導体メモリの他、外付けＨＤＤ、ユーザ端末等を、複合機４９に接続する接続部である。なお、ＵＳＢメモリ３２が半導体メモリの一例として挙げられているが、これに限定されることはなく、例えば、ＳＤカード、ｘＤピクチャーカード、コンパクトフラッシュ（登録商標）メモリのような、他の半導体メモリであってもよい。
【００４３】
ＵＳＢメモリ３２は、種々のデータが記憶可能である。例えば、画像データ、文字データ等の他、印刷設定等の情報である管理データが、ＵＳＢメモリ３２に記憶できる。そこで、ＵＳＢメモリ３２に記憶されたデータ(記憶情報)のうち、印刷に適したデータ（画像データ等）が、どのようにして、複合機４９で印刷されるかについて、図１〜図３に加え、図４および図５を用いて説明する。
【００４４】
図４は複合機４９がＵＳＢメモリ３２のデータを印刷する過程を示すフローチャートである。図５は操作パネルユニット２１における表示パネル２４に表示される画像（操作手順）を示した平面図である（なお、着色した部分は、ボタンセット２５介して、選択された操作を意味する）。
【００４５】
図４に示すように、まず、ユーザが、ＵＳＢメモリ３２を複合機４９のインターフェース３１に差し込む〈STEP１〉。すると、制御ユニット１１（詳説するとＣＰＵ１３）は、インターフェース３１に差し込まれたＵＳＢメモリ３２の存在を検出し、そのＵＳＢメモリ３２に記憶されたデータにアクセスする〈STEP２〉。すなわち、制御ユニット１１は、ＵＳＢメモリ３２の記憶データを取得する｛なお、ＵＳＢメモリ３２に記憶されるデータは、特に限定されず、複合機４９の制御ユニット１１で処理可能な種類（例えば、pdf形式またはtiff形式）であればよい｝。
【００４６】
さらに、制御ユニット１１は、表示パネル２４に、図５Ａに示すような初期の操作手順を表示させる〈STEP３〉。この操作手順は、ＵＳＢメモリ３２に記憶されたデータに対して、どのような処理をするかを選択させる内容を示す。
【００４７】
詳説すると、ＵＳＢメモリ３２のデータを、複合機４９に印刷させるのか、複合機４９の記憶部１２に記憶（保存）させるのかを選択させる内容が、表示パネル２４に表示される。そして、ユーザは、この操作手順の内容を見て、ボタンセット２５で、印刷かデータの保存かを選択する（なお、図５Ａの操作手順は、印刷が選択された場合を示す）。
【００４８】
制御ユニット１１は、ボタンセット２５を介して選択された処理が、データの印刷なのか保存なのかを判断する〈STEP４〉。そして、選択された処理が印刷の場合〈STEP４のＹＥＳ〉、制御ユニット１１は、図５Ｂに示すように、印刷すべきデータ（データファイル）を選択できる操作手順を表示する〈STEP５〉。
【００４９】
この操作手順は、ＵＳＢメモリ３２に記憶された全てデータ（FileＡ〜FileＣ）を表示するとともに、それらのデータの印刷の可否を選択できる。具体的には、データ（FileＡ〜FileＣ）が個別に選択できるだけでなく、一括して全データが選択できるような操作手順になっている。そして、ユーザは、この操作手順の内容を見て、ボタンセット２５で、印刷するデータが、全データなのか一部のデータなのかを選択する（なお、図５Ｂの操作手順は、全データが選択された場合を示す）。
【００５０】
制御ユニット１１は、ボタンセット２５を介して選択されたデータが、全データなのか否かを判断する〈STEP６〉。そして、選択されたデータが全データの場合〈STEP６のＹＥＳ〉、制御ユニット１１は、図５Ｃに示すように、印刷を開始を決定させる操作手順を表示パネル２４に示し、ユーザは、ボタンセット２５を介して、印刷の開始を決定する。すると、制御ユニット１１は、印刷すべきデータの印刷を開始する〈STEP７〉。
【００５１】
そして、印刷終了後〈STEP８〉、制御ユニット１１は、インターフェース３１に電気的な接続の切断を指示した後、インターフェース３１にアクセスし、インターフェース３１に含まれる端子と、ＵＳＢメモリ３２の含まれる端子との間で、電気的な接続が切断されているか否か確認する。なぜなら、インターフェース３１（ひいては複合機４９）とＵＳＢメモリ３２とが、電気的に接続されている場合に、強制的な切断がなされると、ＵＳＢメモリ３２のデータ破損等が生じるためである。したがって、制御ユニット１１は、複合機４９とＵＳＢメモリ３２とが非導通状態であるか否かで、ＵＳＢメモリ３２のインターフェース３１からの取り外し許可を判断する〈STEP９〉。
【００５２】
そして、ＵＳＢメモリ３２が取り外し可能な状態、すなわちＵＳＢメモリ３２と複合機４９とが電気的に接続されていない場合〈STEP９のＹＥＳ〉、制御ユニット１１は、図５Ｄに示すように、印刷の終了を意味する文字（印刷終了手順）と、ＵＳＢメモリ３２の取り外しが安全に行えることを意味する文字（ＵＳＢメモリ取り外し許可手順）とを、表示パネル２４に表示する〈STEP１０〉。
【００５３】
すると、ユーザは、表示パネル２４に表示される画像、すなわち、印刷終了手順（印刷終了通知）およびＵＳＢメモリ取り外し許可手順（取り外し許可手順）を見ることで、所望したデータが印刷されたことと、安全にＵＳＢメモリ３２を取り外せることをすばやく認知し、そのＵＳＢメモリ３２をインターフェース３１から取り外せる〈STEP１１〉。
【００５４】
このように、制御ユニット１１が、ＵＳＢメモリ３２からデータを取得して、表示パネル２４に、データをシートに印刷させるための操作手順（ワークフロー）を表示し、その操作手順には、ＵＳＢメモリ３２の取り外し許可を示すＵＳＢメモリ取り外し許可手順が含まれると、ユーザは、例えば、ＵＳＢメモリ３２のデータ転送中に、無理に、そのＵＳＢメモリ３２を取り外さない。
【００５５】
通常、ＵＳＢメモリ３２に内蔵される端子と、インターフェース３１に内蔵される端子とが、物理的かつ電気的に接続することで、ＵＳＢメモリ３２と複合機４９とは、データ転送可能になる。そのため、例えば、ＵＳＢメモリ３２と複合機４９とがデータ転送中に、両者の接続が強制的に解除されると、データが破損してしまうことがあり得る。また、強引に、ＵＳＢメモリ３２が、インターフェース３１から引き抜かれる場合に、ＵＳＢメモリ３２に何らかの電流が流れ、ＵＳＢメモリ３２自体が破損することもあり得る。
【００５６】
しかしながら、複合機４９では、表示パネル２４に、安全にＵＳＢメモリ３２を取り外せるタイミング（例えば、ＵＳＢメモリ３２と複合機４９との間でのデータ転送完了後）であることが、ユーザに知らされる。そのため、ユーザは、ＵＳＢメモリ３２を破損させることなく安全に取り外せる。つまり、ユーザは、表示パネル２４に表示される操作手順を見ることで、迷うことなく、ＵＳＢメモリ３２に対して所望の処理（例えば、印刷処理）を行え、その上、安全かつ早期に、ＵＳＢメモリ３２を取り外せる。
【００５７】
なお、図４のフローチャートに示すように、ＵＳＢメモリ３２の全データが印刷されるように指示された場合〈STEP６のＹＥＳ〉、制御ユニット１１は、図５Ｄに示すように、印刷終了手順を表示させるとともに、ＵＳＢメモリ取り外し許可手順を、自動的に表示パネルに表示させる。そのため、ユーザは、早期にＵＳＢメモリ３２を取り外し可能であることを知り得る。
【００５８】
一方で、図４のフローチャートに示すように、ＵＳＢメモリ３２の全データではなく、一部のデータが印刷されるように指示された場合〈STEP６のＮＯ〉、制御ユニット１１は、図５Ｃに示すように、印刷を開始を決定させる操作手順を表示パネル２４に示し、ユーザは、ボタンセット２５を介して、印刷の開始を決定する。すると、制御ユニット１１は、印刷すべきデータの印刷を開始する〈STEP２１〉。
【００５９】
そして、印刷終了後〈STEP２２〉、制御ユニット１１は、図５Ｅに示すように、印刷の終了を意味する文字（印刷終了手順）と、残りのデータ（印刷すると選択されていないデータ）を継続して印刷することを意味する文字（継続印刷手順）と、ＵＳＢメモリ３２の取り外しを決定することを意味する文字（取り外し選択手順）と、表示パネル２４に併せて表示する〈STEP２３〉。
【００６０】
そして、ユーザが、ボタンセット２５を介して、図５Ｅに示すように、ＵＳＢメモリ３２の取り外しを選択（決定）すると〈STEP２４のＹＥＳ〉、制御ユニット１１は、ＵＳＢメモリ３２がインターフェース３１から取り外し可能か否かを判断する〈STEP９〉。そして、ＵＳＢメモリ３２と複合機４９とが電気的に接続されていない場合〈STEP９のＹＥＳ〉、制御ユニット１１は、図５Ｄに示すように、印刷終了手順およびＵＳＢメモリ取り外し許可手順を表示パネル２４に表示する〈STEP１０〉。すると、ユーザは、表示パネル２４を見ることで所望したデータが印刷されたことと、安全にＵＳＢメモリ３２を取り外せることを認知し、そのＵＳＢメモリ３２をインターフェース３１から取り外す〈STEP１１〉。
【００６１】
つまり、制御ユニット１１は、ＵＳＢメモリ３２のデータを、全部ではなく部分的に印刷させるような場合であっても、ＵＳＢメモリ３２に関する操作手順を、表示パネル２４に表示させる。具体的には、ＵＳＢメモリ３２を取り外すか否かの選択を示す操作手順（取り外し選択手順）が示される。そのためＵＳＢメモリ３２に一部データの印刷終了後に、ユーザによって、ＵＳＢメモリ３２が誤ってインターフェース３１から抜き取られることは、防止される（要は、制御ユニット１１は、ユーザに、ＵＳＢメモリ３２に関する操作手順を示すことで、注意を喚起している）。
【００６２】
なお、ＵＳＢメモリ３２の取り外しが選択されなかった場合〈STEP２４のＮＯ〉、印刷されていないデータが、継続して印刷されることになる。そのため、再び、制御ユニット１１は、ボタンセット２５を介して選択されたデータが、全データなのか否かを判断する〈STEP６〉
【００６３】
ところで、以上では、ユーザが、ＵＳＢメモリ３２に記憶されたデータの印刷を選択した場合〈STEP４のYESを全角で〉を例に挙げて説明した。しかし、複合機４９は、印刷だけでなく、ＵＳＢメモリ３２のデータに対して別の処理もできる。すなわち、データの保存である〈STEP４のＮＯ、STEP３１〉。
【００６４】
具体的には、図６のフローチャート（図４のフローチャートのSTEP３１以降のフローを示すフローチャート）に示すように、制御ユニット１１は、図７Ａに示すように、保存すべきデータ（データファイル）を選択できる操作手順を表示する〈STEP３２〉。
【００６５】
この操作手順は、ＵＳＢメモリ３２に記憶された全てデータ（FileＡ〜FileＣ）を表示するとともに、そのデータの保存の可否を選択できる。すなわち、図５Ｂ同様に、データ（FileＡ〜FileＣ）が個別に選択できるだけでなく、一括して全データが選択できるような操作手順になっている。そして、ユーザは、この操作手順の内容を見て、ボタンセット２５で、保存するデータが、全データなのか一部のデータなのかを選択する〈STEP３２〉（なお、図７Ａの操作手順は、FileＡ・FileＢという一部データが選択された場合を示す）。
【００６６】
制御ユニット１１は、ボタンセット２５を介して選択されたデータが、全データなのか否かを判断する〈STEP３４〉。そして、選択されたデータが、図７Ａに示すように、一部データの場合〈STEP３４のＮＯ〉、制御ユニット１１は、選択されたデータのみを保存する〈STEP３５→STEP３６〉。
【００６７】
その後、制御ユニット１１は、図７Ｂに示すように、データ保存の終了を意味する文字（保存終了手順）と、残りのデータ、すなわち保存すると選択されていないデータを継続して保存することを意味する文字（継続保存手順）と、ＵＳＢメモリ３２の取り外しを決定することを意味する文字（取り外し選択手順）と、表示パネル２４に併せて表示する〈STEP３７〉。ここで、ユーザが、ボタンセット２５を介して、図７Ｂに示すように、保存されていないデータの保存をする場合〈STEP３８のＮＯ〉、再び、ユーザは保存したデータを選択する〈STEP３３〉。
【００６８】
一方で、ユーザが、ボタンセット２５を介して、ＵＳＢメモリ３２の取り外しを選択すると〈STEP３８のＹＥＳ〉、制御ユニット１１は、ＵＳＢメモリ３２がインターフェース３１から取り外し可能か否かを判断する〈STEP３９〉。そして、ＵＳＢメモリ３２と複合機４９とが電気的に接続されていない場合〈STEP３９のＹＥＳ〉、制御ユニット１１は、図７Ｃに示すように、保存終了手順およびＵＳＢメモリ取り外し許可手順を表示パネル２４に表示する〈STEP４０〉。すると、ユーザは、表示パネル２４を見ることで所望したデータが保存されたことと、安全にＵＳＢメモリ３２を取り外せることを認知し、そのＵＳＢメモリ３２をインターフェース３１から取り外す〈STEP４１〉。
【００６９】
つまり、制御ユニット１１は、ＵＳＢメモリ３２のデータを、全部ではなく部分的に保存させるような場合であっても、ＵＳＢメモリ３２を取り外すか否かの選択を示す操作手順（取り外し選択手順）が示される。そのためＵＳＢメモリ３２に一部データの保存終了後に、ユーザによって、ＵＳＢメモリ３２が誤ってインターフェース３１から抜き取られることは、防止される。
【００７０】
なお、保存されるデータが、ＵＳＢメモリ３２に記憶されるデータの全部である場合〈STEP３４のＹＥＳ〉、制御ユニット１１は、選択された全データの保存を開始する〈STEP５１〉。そして、保存終了後〈STEP５２〉、制御ユニット１１は、ＵＳＢメモリ３２がインターフェース３１から取り外し可能か否かを確認し、取り外し可能と判断される場合〈STEP３９のＹＥＳ〉、図７Ｃに示すように、保存終了手順およびＵＳＢメモリ取り外し許可手順を自動的に表示パネル２４に表示する〈STEP４０〉。
【００７１】
つまり、この複合機４９では、ＵＳＢメモリ３２の全データが保存または印刷されるように指示された場合〈図４のSTEP６のＹＥＳ、図６のSTEP３４のＹＥＳ〉、制御ユニット１１は、所定処理の終了（保存終了手順または印刷終了手順）を表示させるとともに、ＵＳＢメモリ取り外し許可手順を、自動的に表示パネルに表示させる。そのため、ユーザは、早期にＵＳＢメモリ３２を取り外し可能であることを知り得る。
【００７２】
［その他の実施の形態］
なお、本発明は前記の実施の形態に限定されず、本発明の趣旨を逸脱しない範囲で、種々の変更が可能である。
【００７３】
例えば、以上では、複合機４９が、ＵＳＢメモリ３２に記憶されたデータの印刷または保存を終了するまでの間（図４でのSTEP７〜STEP８，STEP２１〜STEP２２、図６でのSTEP３５〜STEP３６，STEP５１〜STEP５２）、ＵＳＢメモリ３２の取り外しが可能な状態であるか否かを確認していなかった。しかしながら、この印刷に要する時間帯でもＵＳＢメモリ３２が取り外し可能な状態になり得る。
【００７４】
すなわち、図８のフローチャートに示すように、印刷が終了するまでの間に、ＵＳＢメモリ３２が取り外し可能な状態になり得る〈STEP６１のＹＥＳ〉。例えば、ＵＳＢメモリ３２に記憶されたデータの全てが、画像形成部４５に転送済で、制御ユニット１１がＵＳＢメモリ３２にアクセスする予定が無い場合である（要は、印刷中であっても、ＵＳＢメモリ３２と複合機４９とが電気的に接続されていない）。このような場合、制御ユニット１１は、ＵＳＢメモリ取り外し許可手順のみを表示パネル２４に表示する〈STEP６２〉。
【００７５】
一方で、制御ユニット１１が、例えば、ＵＳＢメモリ３２に印刷履歴の情報を記憶させる予定が有る場合、ＵＳＢメモリ３２の取り外しは不可である〈STEP６１のＮＯ〉。このような場合、制御ユニット１１は、印刷予定のデータのうち、最終のシートの印刷を終了しているか否かについて、画像形成部４５に確認する〈STEP６３〉。
【００７６】
そして、印刷が終了していなければ〈STEP６３のＮＯ〉、そのまま印刷が継続され〈STEP６４〉、ＵＳＢメモリ３２取り外しが可能か否か確認される〈STEP６１〉。一方、最終の印刷が終了していれば〈STEP６３のＹＥＳ〉、制御ユニット１１は、排出ローラ対４７の駆動を停止させて、印刷された最終のシートの排出を止める〈STEP６５〉。
【００７７】
つまり、制御ユニット１１は、ＵＳＢメモリ取り外し許可手順を表示パネル２４に表示するまでは、排出ローラ対４７に、印刷された最終のシートの排出を停止させる（別表現すると、制御ユニット１１は、ＵＳＢメモリ取り外し許可手順を表示パネル２４に表示した後、排出ローラ対４７に、印刷された最終のシートの排出を開始させる）。
【００７８】
このようになっていると、ユーザは、表示パネル２４をみても、ＵＳＢメモリ取り外し許可手順が表示されていない上、所望のデータの全てがまだ印刷され尽くしていないことを認識する。そのため、ユーザがＵＳＢメモリ３２をインターフェース３１から取り外そうとしなくなる。
【００７９】
なお、印刷された最終のシートの排出が止められた後〈STEP６５〉、再び、ＵＳＢメモリ３２取り外しが可能か否か確認される〈STEP６１〉。そして、ＵＳＢメモリ３２の取り外しが可能であれば、制御ユニット１１は、ＵＳＢメモリ取り外し許可手順のみを表示パネル２４に表示する〈STEP６２〉。
【００８０】
さらに、印刷されるべき最終のシートの印刷が終了していれば〈STEP７１のＹＥＳ〉、制御ユニット１１は、既に表示したＵＳＢメモリ取り外し許可手順とともに、印刷終了手順を表示パネル２４に表示する〈STEP７３〉（なお、印刷されるべき最終のシートの印刷が終了していなければ〈STEP７１のＮＯ〉、印刷が継続される〈STEP７２〉）。
【００８１】
そして、制御ユニット１１は、印刷終了手順を表示パネル２４に表示した後、印刷された最終のシートを、排出ローラ対４７を介して、排出トレイ４８に排出させる〈STEP７４〉。すると、ユーザは、所望のデータの全てが印刷され尽くされたことを認識して、ＵＳＢメモリ３２をインターフェース３１から取り外せる〈STEP１１〉。
【００８２】
なお、ユーザが最初に印刷させるデータを全部にせず〈図４のフローチャートでのSTEP６のＮＯ〉、選択されたデータの印刷が開始する場合であっても〈STEP２１〉、図９のフローチャートに示すように、印刷が終了するまでの間に、複合機４９とＵＳＢメモリ３２とが非導通状態で、ＵＳＢメモリ３２がインターフェース３１から取り外し可能な状態になり得る〈STEP８１〉。このような場合、制御ユニット１１は、ＵＳＢメモリ取り外しを選択するか否かの手順（取り外し選択手順）のみを表示パネル２４に表示する〈STEP８２〉。
【００８３】
一方、ＵＳＢメモリ３２の取り外しは不可の場合〈STEP８１のＮＯ〉、制御ユニット１１は、ＵＳＢメモリ取り外しを選択するか否かの手順を表示させることなく、印刷予定のデータのうち、最終のシートの印刷を終了しているか否かについて、画像形成部４５に確認する〈STEP８３〉。そして、印刷が終了していなければ〈STEP８３のＮＯ〉、制御ユニット１１は、そのまま印刷を継続させる〈STEP８４〉。一方、最終の印刷が終了していれば〈STEP８３のＹＥＳ〉、制御ユニット１１は、排出ローラ対４７の駆動を停止させて、印刷された最終のシートの排出を止める〈STEP８５〉。
【００８４】
このようになっていると、ユーザは、表示パネル２４をみても、前記同様、ＵＳＢメモリ取り外し許可手順が表示されていない上、所望のデータの全てがまだ印刷され尽くしていないことを認識する。そのため、ユーザがＵＳＢメモリ３２をインターフェース３１から取り外そうとしなくなる。
【００８５】
一方で、ＵＳＢメモリ取り外しを選択するか否かの手順が表示されている場合に〈STEP８２〉、ユーザが、ボタンセット２５を介して、ＵＳＢメモリ３２の取り外しを選択すると〈STEP８６のＹＥＳ〉、制御ユニット１１は、ＵＳＢメモリ取り外し許可手順のみを表示パネル２４に表示する〈STEP８７〉（なお、ＵＳＢメモリ３２の取り外しが選択されなかった場合〈STEP８６のＮＯ〉、図４のフローチャートにおけるSTEP６へと進む）。
【００８６】
そして、印刷されるべき最終のシートの印刷が終了していれば〈STEP８８のＹＥＳ〉、制御ユニット１１は、既に表示したＵＳＢメモリ取り外し許可手順とともに、印刷終了手順を表示パネル２４に表示する〈STEP９０〉（なお、印刷されるべき最終のシートの印刷が終了していなければ〈STEP８８のＮＯ〉、印刷が継続される〈STEP８９〉）。
【００８７】
そして、制御ユニット１１は、印刷終了手順を表示パネル２４に表示した後、印刷された最終のシートを、排出ローラ対４７を介して、排出トレイ４８に排出させる〈STEP９１〉。すると、ユーザは、前記同様、所望のデータの全てが印刷され尽くされたことを認識して、ＵＳＢメモリ３２をインターフェース３１から取り外せる〈STEP１１〉。
【００８８】
ところで、以上のような制御ユニット１１による操作手順の表示は、制御ユニット１１の記憶部１２に記憶された操作手順表示プログラムで実現される。そして、このプログラムは、コンピュータにて実行可能なプログラムであり、コンピュータに読み取り可能な記録媒体に記録されてもよい。なぜなら、記録媒体に記録されたプログラムは、持ち運び自在になるためである。
【００８９】
なお、この記録媒体としては、例えば分離される磁気テープやカセットテープ等のテープ系、磁気ディスクやＣＤ−ＲＯＭ等の光ディスクのディスク系、ＩＣカード（メモリカードを含む）や光カード等のカード系、あるいはフラッシュメモリ等による半導体メモリ系が挙げられる。したがって、この操作手順表示プログラムは、ＵＳＢメモリ３２に記憶されていてもよい。
【００９０】
また、制御ユニット１１は、通信ネットワークからの通信で操作手順表示プログラムを取得してもよい。なお、通信ネットワークとしては、有線無線を問わず、インターネット、赤外線通等が挙げられる。
【符号の説明】
【００９１】
１１      制御ユニット
２１      操作パネルユニット
２４      表示パネル
２５      ボタンセット（入力部）
３１      インターフェース（接続部）
３２      ＵＳＢメモリ（外部記憶装置）
４７      排出ローラ対（排出部）
４９      複合機（画像形成装置）
【図１】
2011110876.tif 000003
【図２】
2011110876.tif 000004
【図３】
2011110876.tif 000005
【図４】
2011110876.tif 000006
【図５】
2011110876.tif 000007
【図６】
2011110876.tif 000008
【図７】
2011110876.tif 000009
【図８】
2011110876.tif 000010
【図９】
2011110876.tif 000011